(57)【要約】【課題】  イヤホン、ヘッドホンなどのコードを巻き取ることができ、クリップ部を有し、またコード巻き取った状態で、コードの長さ方向に対するコード巻き取りホルダー本体の位置を調節することも可能なコード巻き取りホルダーに関するものである。【解決手段】  コードを巻き取る巻き取り部１と、巻き取り部１の両端に形成され、上記巻き取り部１の縦断面より大きいフランジ部１１，１２と、少なくとも片方のフランジ部１１に切り込みを入れた形で設けられたコード係止部３と、を有してなるコード巻き取りホルダー６であって、巻き取り部１の両端のフランジ部１１，１２のうち片方のフランジ部１１にコード係止部３が形成され、他方のフランジ部１２にはクリップ部５が設けられている。【選択図】        図１
2011082933.tif 000002
【特許請求の範囲】
【請求項１】
コードを巻き取る巻き取り部と、
上記巻き取り部の両端に形成され、上記巻き取り部の縦断面より大きいフランジ部と、少なくとも片方のフランジ部に切り込みを入れた形で設けられたコード係止部と、を有してなり、
上記巻き取り部の両端のフランジ部のうち片方のフランジ部に上記コード係止部が形成され、他方のフランジ部にはクリップ部が設けられていることを特徴とするコード巻き取りホルダー。
【請求項２】
クリップ部は、片方のフランジ部の一端から、上記フランジ部と平行に伸び出たアーム部を有してなる請求項１に記載のコード巻き取りホルダー。
【請求項３】
アーム部は弾性を有していて、アーム部と片方のフランジ部でクリップ対象を挟み込むことができる請求項１または２に記載のコード巻き取りホルダー。
【請求項４】
コード係止部は、コードの太さよりも狭く上記コードを圧縮しながら受け入れるコード導入部と、このコード導入部に連通して形成された上記コードよりも大径のコード挿入孔からなる鍵穴状である請求項１乃至３のいずれかに記載のコード巻き取りホルダー。
【請求項５】
コード係止部は、フランジ部の長さ方向の両端部に１箇所ずつ対称に設けられている請求項４に記載のコード巻き取りホルダー。
【請求項６】
巻き取り部とフランジ部は一体で形成されている請求項１乃至５のいずれかに記載のコード巻き取りホルダー。
【請求項７】
巻き取り部とフランジ部の平面形状は、長方形状である請求項１乃至６のいずれかに記載のコード巻き取りホルダー。
【発明の詳細な説明】
【技術分野】
【０００１】
本発明は、イヤホン、ヘッドホンなどのコードを巻き取ることができ、クリップ部を有し、またコード巻き取った状態で、コードの長さ方向に対するコード巻き取りホルダー本体の位置を調節し、あるいはコードの引き出し長さを連続的に微調整することも可能なコード巻き取りホルダーに関するものである。
【背景技術】
【０００２】
携帯用音響機器には、磁気テープ式、光学ディスク式、フラッシュメモリ式、ハードディスク式など各種の方式があり、いずれにせよ、ヘッドホンや、イヤホンを利用して音楽等の再生を楽しむことができる。ヘッドホンあるいはイヤホンは、コードを介して上記音響機器に接続される。
【０００３】
上述の携帯用の音響機器を利用する使用者にとっては、音響機器を使用していないときにヘッドホンあるいはイヤホンのコードの処理が面倒なものである。ヘッドホンなどを使い終わったときにコードを特に気にせずに鞄の中などに入れてしまうと、コードが絡まって次に使用する際に、絡まりを解くのに手間がかかる。鞄の中などでコードが乱れていることで、他の物の出し入れにも不便である。また、ヘッドホンあるいはイヤホンの使用時においては、コードの長さが長すぎたり短すぎたりすると、コードに使用者の手などが引っ掛ったりし、ヘッドホンやイヤホンが使用者の耳介から脱落することがある。
【０００４】
このような問題を解決するために、例えば携帯用の音響機器側で、機器内部にコードを巻き取って収納する機構を備えたものも提案されている。しかしながら、巻き取り収納機構を設けることは、その分音響機器の構造の大型化や重量の増加が発生するため、小型軽量化が求められる携帯用音響機器には好ましくない。また比較的小型の音響機器の場合、内部でさらに小型の巻取り部を形成するため、巻き取り形状や巻取り時のテンションにより、コードの芯線の断線を生じさせやすいという欠点もある。さらに巻き取り装置は構造が複雑であり、壊れやすく、また壊れた場合はプレーヤ機器本体としての修理が必要となるため、使用者にとって不便である。
【０００５】
上述のことから、不使用時または使用時のヘッドホンなどのコードの処理が容易かつ適切にできるようにすることが求められ、そのためのコード巻き取りホルダーが提案されている。例えば特許文献１に記載の発明では、リモコンを保護するプロテクタであってコードを巻き取ることができるリモコンプロテクタが提案されている。このリモコンプロテクタは、ゴム材等の伸縮性のある材質で形成され、左板部と右板部が、上部の一対の連結部と下部の一対の連結部によって連結された構造になっていて、左板部と右板部で挟まれている部分が、ヘッドホンリモコンのコードを巻き付けることができる巻き取り部となっている。左板部と右板部には、それぞれ上方に、３つのＬ字状の切り欠き部が係止部として形成されている。同様に下方には、３つのＬ字状の切り欠き部が係止部として形成されている。
【０００６】
しかしながら、特許文献１に記載の発明は、イヤホンやヘッドホンなどのコードをコード巻き取りホルダーに巻いたままで使用することを考慮していない。そのため、コードの長さをコード巻きホルダーで調節し、運動時、携帯電話の使用時などに、コードの長さが余って揺れ動き邪魔になるのを防止するといった、使用者の実生活に合わせたニーズを考慮していなかった。
【０００７】
また、いったんコードを巻き取り部に巻きつけ係止部で係止すると、コードがリモコンプロテクタ本体に固定されてしまい、コードに巻きつけた後は、リモコンプロテクタ本体のコードに対する位置調節を行うことができなかった。そのため、従来のコード巻き取りホルダーは使用者がイヤホンやヘッドホンなど使用しているとき、コードの長さ方向に対するコード巻き取りホルダーの位置調節、あるいはコードの引き出し長さ調節を行うことはできなかった。コードの引き出し長さが適切でない場合は、巻き取りホルダーへの巻き回数を変更する必要があり、操作が面倒であると共に、長さ調節ピッチが決まっていて、連続的な長さ調節ができないという難点もある。
【先行技術文献】
【特許文献】
【０００８】
【特許文献１】特開２００２−５８０８９号公報
【発明の概要】
【発明が解決しようとする課題】
【０００９】
本発明は、以上説明してきた従来技術の問題点を解消し、主にヘッドホンやイヤホンなどに使用されるコード巻き取りホルダーであって、使用時において、コード巻きホルダーによってコードを固定させ、運動時、携帯電話の使用時などにコードの長さが余った場合などにコードが使用者の通常の生活に邪魔になるのを防止し、より使用者の実生活のニーズに近いコード巻き取りホルダーを提供することを目的とする。
【課題を解決するための手段】
【００１０】
本発明は、コード巻き取りホルダーにおいて、コードを巻き取る巻き取り部と、巻き取り部の両端に形成され、巻き取り部の縦断面より大きいフランジ部と、少なくとも片方のフランジ部に切り込みを入れた形で設けられたコード係止部と、を有してなり、巻き取り部の両端のフランジ部のうち片方のフランジ部にコード係止部が形成され、他方のフランジ部はクリップ部が設けられていることを最も主要な特徴とする。
【発明の効果】
【００１１】
本発明によれば、主にヘッドホンやイヤホンなどに使用されるコード巻き取りホルダーにおいて、巻き取り部の両端のフランジ部のうち片方のフランジ部に上記コード係止部が形成され、他方のフランジ部はクリップ部が設けられていることによって、使用時にコードを固定させ、運動時、携帯電話の使用時などにコードの長さが余った場合など、コードが使用者の通常の生活に邪魔になるのを防止することができる。
【図面の簡単な説明】
【００１２】
【図１】本発明にかかるコード巻き取りホルダーの実施例を示す斜視図である。
【図２】上記実施例の上面図である。
【図３】上記実施例の正面図である。
【発明を実施するための形態】
【００１３】
以下、本発明にかかるコード巻き取りホルダーの実施例を、図１乃至図４を参照しながら説明する。なお、以下に説明する実施例は、好ましい一例を示すものであって、例えばこの実施例にかかるフランジの形状や、巻き取り部の形状に限定されるものではない。
【００１４】
図１において、コード巻き取りホルダー５は、図示しないコードを巻き取る部分である巻き取り部１と、巻き取り部１の両端に形成されていて巻き取り部１の縦断面より大きいフランジ部１１，１２と、片方のフランジ部１１に切り込みを入れた形で設けられたコード係止部３から主に構成される。コード係止部３は、コードを圧縮しながらコードを受け入れるコード導入部３Ｂと、このコード導入部３Ｂに連通して形成されたコードよりも大径のコード挿入孔３Ａからなる鍵穴状をしている。図示の実施例では、巻き取り部１とフランジ部１１，１２はプラスチックにより一体成形されているが、それぞれ別部品として製作し、これらを一体に結合することによって構成してもよい。巻き取り部１の両側のフランジ部１１，１２のうち片方のフランジ部１１にコード係止部３が形成され、他方のフランジ部１２はクリップ部５が一体に設けられている。クリップ部５は、片方のフランジ部１２の一端から、フランジ部１２と平行に伸び出たアーム部４Ａを有してなる。
【００１５】
巻き取り部１の立体形状は、直方体状をしており、その平面形状（フランジ部１１または１２の正面側から見た形状）は、長方形状である。巻き取り部１の厚さ方向の両端にフランジ部１１，１２が形成されている。巻き取り部１の平面形状は、コードを巻き取ることができる形状であればよく、正方形状でもよく、円、楕円など丸みを帯びた形をしていてもよい。
一方のフランジ部１１は、係止部３を形成するため、他方のフランジ部１２よりも、正面からの投影面積が大きくなっている。
【００１６】
図３に示すように、フランジ部１１は、扁平状でその平面形状は、略長方形をしている。コード係止部３は、フランジ部１１の長さ方向の両端部に１箇所ずつ対称に、より具体的には、フランジ部１１の正面形状長方形の対角位置の２か所に設けられている。コード係止部３のコード導入部３Ｂは、コードの太さよりも径が狭くコードを圧縮しながらコードを受け入れるようになっている。そのため、一度コード係止部３に挿入されたコードは、コード導入部３Ｂによって抜け落ちにくくなる。このコード導入部３Ｂに連通してその奥側に形成されたコード挿入孔３Ａは、コードよりも大径である。そのため、巻き取り部１にコードが巻かれた状態でも、コード巻き取りホルダー５本体を押さえながら、コードを一端側から引っ張ってコード挿入孔３Ａを通してスライドさせると、コードが巻き取りホルダーに巻き回されたまま長さ方向にずらすことも想定できる。こうして、コードの長さ方向に対するコード巻き取りホルダー５本体の相対位置を調節することも可能である。
【００１７】
また、一つのコード挿入孔３Ａにおいてコードをスライドさせながら引き出し、あるいは押し込むことにより、コード巻き取りホルダーに対するコードの引き出し長さを連続的に微調整することも可能である。
【００１８】
コード係止部３は、フランジ部１１に適宜の数だけ形成することができ、例えば、フランジ部１１の四隅に形成することができる。コード係止部３は、図示の実施例のようにフランジ部の対角位置にコード導入部３Ｂを向けて形成されていなくてもよく、例えばフランジ部１１を正面から見て略長方形の長辺または短辺から直角にまたは斜めに向けて形成されてもよい。
【００１９】
図１、図２に示すように、クリップ部５は、片方のフランジ部１２の一端２ＡからＵ字状に折り返されフランジ部１２と平行に伸び出たアーム部４を有することによって構成されている。アーム部４は弾性を有していている。この構成により、アーム部４と片方のフランジ部１２でクリップ対象、例えば、上着のポケットの縁部などを挟み込むことができる。伸び出たアーム部４の先端には、クリップとして使用される際にクリップ対象からの落下を防ぐための突部４Ａが備えられている。また、同様に片方のフランジ１２は、突部４Ａと迎え合わせとなっている突部２Ｂを有していてこの２つの突部がクリップ対象を両側から互い違いに押さえることでクリップとして使用される際にクリップ対象からの落下を防ぐことができる。このように、クリップ部５を有していることにより、コード巻きホルダー６を胸ポケットなどに装着することができ、ヘッドホンなどのコードが妄りに動くことを防止することができる。また、コード巻き取りホルダー６は、ヘッドホンやイヤホンを使用中に、コードの長さ方向における相対位置を好ましい位置に調節することも可能である。
【００２０】
以上説明したコード巻き取りホルダーの実施例によれば、クリップ部が設けられていることによって使用時にコードを固定させ、運動時、携帯電話の使用時などにコードの長さが余った場合など、コードが使用者の通常の生活に邪魔になるのを防止することができる。また、使用者は、上着のポケットなどに本発明にかかるコード巻き取りホルダーを暫定的に取り付けることができ、イヤホンやヘッドホンの利便性を増すことができる。また、フランジ部１１，１２と、巻き取り部１と、クリップ部５は、プラスチックなどによって一体に成形することができ、コストダウンを図ることができる。さらにコードが巻かれた状態においてコードの長さ方向におけるコード巻き取りホルダー本体の相対位置調節を行うことが可能であり、コード巻き取りホルダー本体の位置を、ヘッドホンやイヤホンなどの使用条件に最も適合した位置に調節することができる。また、コード巻き取りホルダーに対するコードの引き出し長さを連続的に微調整することも可能である。
【産業上の利用可能性】
【００２１】
本発明に係るコード巻き取りホルダーは、ヘッドホンやイヤホンのコードを巻き取るために主に使用されるが、用途が特に限定されるものではなく、それ以外の製品に備えられるコードにも利用することができる。
【符号の説明】
【００２２】
１    巻き取り部
３    係止部
３Ａ  コード挿入部
３Ｂ  コード導入部
４  アーム部
５  クリップ部
６  コード巻き取りホルダー
１１、１２    フランジ部
【図１】
2011082933.tif 000003
【図２】
2011082933.tif 000004
【図３】
2011082933.tif 000005